(57)【要約】  【課題】単に装着できると共に、パイプに対して確実に固定でき、しかもコスト的にも有利なパイプ用フィルタを提供すること。  【解決手段】内側にフィルタ収容部を形成していると共に、外径をパイプ内径より小さくした筒状部を設け、この筒状部の端部にパイプの内径より大径に形成したフランジを、上記筒状部と一体形成している。筒状部の外周面には、可撓性を有する部材にて形成し、筒状部の長手方向に設けたリブをフランジ側に延設していると共に、当該リブとフランジとの間には隙間を形成して、フランジ側と縁切りをすることにより、パイプに対する装着性を向上させたパイプ用フィルタ。【選択図】図３
0003131681.tif 000002
【実用新案登録請求の範囲】
【請求項１】
パイプの端部に装着するフィルタであって、内側にフィルタ収容部を形成していると共に、外径をパイプ内径より小さくした筒状部を設け、この筒状部の端部にパイプの内径より大径に形成したフランジを、上記筒状部と一体形成しており、筒状部の外周面には、可撓性を有する部材にて形成し、筒状部の長手方向に設けたリブをフランジ側に延設していると共に、当該リブとフランジとの間には隙間を形成して、フランジ側と縁切りをすることにより、パイプに対する装着性を向上させていることを特徴とするパイプ用フィルタ。
【考案の詳細な説明】
【技術分野】
【０００１】
この考案は、土留め用等としてコンクリート、土塊等にて形成される擁壁内に埋設される水抜き用等のパイプに対し、当該パイプ端部に装着するパイプ用フィルタに関する。
【背景技術】
【０００２】
従来、パイプ用フィルタとしては、例えば、特許文献１（実公平７−４５６３７号公報参照）に開示されたように、土留め用等の目的で構築された擁壁に埋設される水抜きパイプに対して装着可能な構成として、フィルタ板の片面に、外面傾斜したくさび形係止頭部を有する脚柱が、円周方向に複数立設された形態のものであった。
また、他の構成のフィルタとしては、パイプ内に挿入する筒状の挿入部と挿入部の端部に設けたフランジと、上記挿入部外面に形成されたリブとからなるものがある。
【特許文献１】実公平７−４５６３７号公報
【考案の開示】
【考案が解決しようとする課題】
【０００３】
しかしながら、上記特許文献１記載のパイプ用フィルタでは、次の問題点があった。すなわち、上記パイプ用フィルタは、パイプ端部が斜めに切断されたパイプに好適に装着できるように考案されているものの、パイプの切断面の傾斜方向に最適な向きに装着するのが難しいという欠点があった。
また、近年、パイプの切断技術が向上し、パイプ端部を長手方向に対して直交する方向に正確に切断可能であるため、切り口に簡単に装着可能で、かつコストも安価なパイプ用フィルタの提供が望まれていた。
【０００４】
さらに他のフィルタでは、挿入部の外面に設けられたリブが、フランジと共に一体成形にて形成されているので、パイプに挿入する際、リブの変形量が規制されて、パイプ内に充分挿入することができず、また、フィルタの固定も充分になされない、という問題点があった。
そこで、この考案は、簡単に装着できると共に、パイプに対して確実に固定でき、しかもコスト的にも有利なパイプ用フィルタを提供することを目的としている。
【課題を解決するための手段】
【０００５】
上記の目的を達成するためのこの考案のパイプ用フィルタは、内側にフィルタ収容部を形成していると共に、外径をパイプ内径より小さくした筒状部を設け、この筒状部の端部にパイプの内径より大径に形成したフランジを、上記筒状部と一体形成しており、筒状部の外周面には、可撓性を有する部材にて形成し、筒状部の長手方向に設けたリブをフランジ側に延設していると共に、当該リブとフランジとの間には隙間を形成して、フランジ側と縁切りをすることにより、パイプに対する装着性を向上させていることを特徴としている。
【０００６】
上記構成のパイプ用フィルタによれば、パイプ用フィルタをパイプ端部に装着する際、筒状部側からパイプに挿入すると、筒状部の外周に立設したリブがパイプ内面に当接した際、フランジとの間に隙間を形成し、フランジ側と縁切りをしていることによって、リブが自由に撓むことができると共に、撓んだ状態のままパイプ内面にセットされるので、リブの復元力によってパイプ内面に確実に固定される。したがって、当該パイプ用フィルタをパイプ端部に挿入するだけで確実、かつ簡単に装着することができる。
【０００７】
また、当該パイプ用フィルタは、可撓性を有する部材、例えば合成樹脂材料を用いて安価に製造することができ、コスト面でも有利な製品を提供することができる。
【考案を実施するための最良の形態】
【０００８】
以下では、この考案の最良な実施の形態を、添付図面を参照して詳細に説明する。
図１及び図２は、この考案のパイプ用フィルタをそれぞれ示す斜視図、図３は側面図である。
このパイプ用フィルタ１は、内側にフィルタ１０の収容部を有する筒状部１１を形成し、この筒状部１１の端部に、筒状部１１より大径としたフランジ部１２を形成している。
【０００９】
上記筒状部１１の外径は、パイプ内径より小径に形成していると共に、筒状部１１の外周面には、軸線方向に突出し、かつ筒状部１１の長手方向に長くしたリブ１５を設けている。
この実施の形態では、リブ１５は、円周方向に間隔を空けて４個所形成しており、正面視で十字となる位置に形成している。また、リブ１５の高さは、対角方向の突出先端同士の距離がパイプ内径より大きくなるように形成している。
【００１０】
そして、リブ１５は、可撓性部材、例えば合成樹材料にて、パイプ壁面筒状部１１の外面に筒状部１１の長手方向に立設させていると共に、フランジ部１２裏面との間には隙間Ｓを有する状態として形成して、フランジ部１２と縁切りをした状態としている。したがって、リブ１５は、可撓性部材にて形成しているので、その先端側は筒状部１１の周方向に沿う方向に自在に撓むことができるようになっている。
【００１１】
したがって、パイプに筒状部１１を挿入する際、リブ１５は、パイプ内面に当接して周方向に撓むと共に、リブ１５の復元力によってパイプ内面に確実に装着することができるものである。
このように、リブ１５とフランジ部１２裏面間には間隔Ｓを設けているので、リブ１５はフランジ部１２による規制を受けることなく端部側が自由に撓むようになり、パイプ内面に確実に沿わせることができ、当該フィルタ１をパイプ内部に確実に装着することができる。また、リブ１５の撓み量は、パイプ内径に適応して変化するため、異なるパイプ内径のものにも対応させることができ、１種類のフィルタ１の適応性を向上させることができ、コストダウンにも寄与するものである。
【００１２】
なお、リブ１５は、上記実施の形態では、正面視で十字位置に４個所形成した例を示したが、３個所以上設ければ、フィルタを安定良く装着することができるものである。
【図面の簡単な説明】
【００１３】
【図１】この考案のパイプ用フィルタを示す斜視図である。
【図２】図１の反対面を示す斜視図である。
【図３】パイプ用フィルタの側面図である。
【符号の説明】
【００１４】
１      パイプ用フィルタ
１１      筒状部
１２      フランジ部
１５      リブ
Ｓ        隙間
【図１】
0003131681.tif 000003
【図２】
0003131681.tif 000004
【図３】
0003131681.tif 000005